(57)【要約】【課題】用紙にハードコピーした場合と同様の複写物を作成することができる上、書き換えることにより何度でも再利用することができる画像転写方法、画像転写装置、および表示記録媒体を提供する。【解決手段】画像を表わす光の照射と電圧の印加とにより該画像が記録される表示記録媒体５と画像が記録された原稿１２との間に、透光性を有する面状の発光体９を配置し、該表示記録媒体５に電圧を印加するとともに該発光体９を発光させて、該表示記録媒体５に該原稿１２で反射した反射光の光量分布に基づく画像を記録する。【選択図】　図１
2004045509.tif 000002
【特許請求の範囲】
【請求項１】
画像を表わす光の照射と電圧の印加とにより該画像が記録される表示記録媒体と、画像が記録された原稿との間に、透光性を有する面状の発光体を配置し、該発光体を発光させるとともに該表示記録媒体に電圧を印加することにより、該表示記録媒体に該原稿で反射した反射光の光量分布に基づく画像を記録することを特徴とする画像転写方法。
【請求項２】
前記発光体から直接照射される直接光の光量に前記原稿で反射した反射光の光量が加わったときに前記表示記録媒体に該反射光の光量分布に基づく画像が記録されるレベルの電圧を該表示記録媒体に印加することを特徴とする請求項１載の画像転写方法。
【請求項３】
前記表示記録媒体は、一対の電極間に、メモリ機能を有する表示層と、光の照射により電気抵抗が変化する光導電層とを積層してなるものであって、前記光導電層が積層された側に、前記発光体を配置することを特徴とする請求項１載の画像転写方法。
【請求項４】
画像を表わす光の照射と電圧の印加とによって該画像が記録される表示記録媒体と、画像が記録された原稿との間に配置され、該表示記録媒体を直接照射するとともに該原稿で反射した、該原稿に記録された画像を担持した反射光を該表示記録媒体に導く発光体と、前記表示記録媒体および前記発光体それぞれに所定の電圧を印加することにより、前記発光体による前記表示記録媒体への光の照射と共同して、該表示記録媒体に前記原稿で反射した反射光の光量分布に基づく画像を記録する電圧印加手段とを備えたことを特徴とする画像転写装置。
【請求項５】
前記電圧印加手段による印加電圧を調整する電圧制御手段を備え、
前記電圧制御手段は、前記電圧印加手段から前記表示記録媒体に印加される電圧を、前記発光体から直接照射される光量に前記原稿で反射した反射光の光量が加わったときに前記表示記録媒体に該反射光の光量分布に基づく画像が記録されるレベルに調整するものであることを特徴とする請求項４記載の画像転写装置。
【請求項６】
前記表示記録媒体は、一対の電極間に、メモリ機能を有する表示層と、光の照射により電気抵抗が変化する光導電層とを積層してなり、該光導電層が積層された側が、前記発光体に向けて配置されるものであることを特徴とする請求項４記載の画像転写装置。
【請求項７】
前記発光体は、出射される光が前記原稿が配置される側に指向性を有するものであることを特徴とする請求項４記載の画像転写装置。
【請求項８】
一対の電極間に、メモリ機能を有する表示層と、光の照射により電気抵抗が変化する光導電層と、透光性を有する面状の発光体層とを積層してなるものであることを特徴とする表示記録媒体。
【発明の詳細な説明】
【０００１】
【発明の属する技術分野】
本発明は、光の照射と電圧の印加とによって画像が記録される表示記録媒体に原稿の反射画像を転写する画像転写方法、画像転写装置、及び発光層を有し電圧の印加により画像が記録される表示記録媒体に関する。
【０００２】
【従来の技術】
従来から、印刷物等の原稿を転写あるいは複写する装置の１つとして、原稿画像の反射光を帯電した光導電性誘電体に直接結像させて静電潜像を形成し、その静電潜像を着色粉体等を用いて顕像化するアナログ方式の電子写真プロセスが広く知られている。今日では、イメージセンサで読み取ったアナログ信号をデジタル化して画像処理を施し、再びアナログ化した信号でレーザを駆動することにより静電潜像を形成することにより、高画質な画像を形成するディジタル方式の電子写真プロセスが主流になっているが、アナログ方式の電子写真プロセスは、ディジタル方式の電子写真プロセスと比べて、複雑な画像処理やメモリ等が不要であり、高精細な画像を安価、かつ高速で複写することができるというメリットがある。このメリットは、原稿画像の反射光を光導電性誘電体に結像させて静電潜像を形成するに至るまでのプロセスがすべて光学系で繋がった直接的プロセスであることに由来するものである。
【０００３】
この直接的プロセスの特徴を最大限に生かした転写装置として、例えば特開昭６１−４２６３１号公報、特開昭６１−２６４３３１号公報には、文書像が完全な全体的潜像として形成される全フレーム型複写機が開示されている。
【０００４】
開示されたこれらの転写装置によれば、結像光学系に２次元的なレンズアレイを用い、プラテン上の文書原稿を２次元的に均一露光し、原稿全体を一括して光導電性誘電体表面に結像させるので、潜像を瞬間的に形成することができるという利点がある。
【０００５】
しかしながら、アナログ方式の電子写真プロセスにおいても、ディジタル方式の電子写真プロセスと同様に、誘電体上に形成された静電潜像に着色粉体を付着させて顕像化し、用紙上に転写および定着して複写画像を得るプロセスが必要となるので、手に持てる程度にまで装置を小型化することは困難である上、潜像は瞬間的に形成できても、顕像化プロセスが必要であり、瞬間的に複写画像を得るのは不可能である。
【０００６】
一方、電子写真プロセスとは別に、２次元的イメージセンシング機能と表示機能とを一体的に備えた画像読取表示装置が、特開平５−２７６３１３号公報に開示されている。
【０００７】
この画像読取表示装置によれば、マトリックス電極間に強誘電液晶を封入し、２次元的均一露光光を原稿画像に照射し、その反射光の光量分布を一方のマトリクス電極に形成した光電変換膜の抵抗分布に変換するとともに、マトリックス電極により画素化された強誘電液晶層に分極反転した画像を表示し、同時に強誘電液晶層の分極電流分布を検出して原稿画像のディジタル画像データを得るものであり、原稿画像の反射光を直接、画像表示させるため、複写画像を瞬間的に得ることができる上、原稿画像から読み取った、加工性に優れたディジタル画像データも同時に得ることができるという利点がある。
【０００８】
【発明が解決しようとする課題】
しかしながら、特開平５−２７６３１３号公報に開示された、イメージセンシング機能と表示機能とを併せ持つ画像読取表示装置によれば、マトリックス電極が必要となるため、複写できる画像の解像度は、マトリックスを構成する行列数に依存する。また、画像の複写を目的とする場合には、マトリクス電極の形成や加工、およびマトリックス電極を駆動する回路等が必要となる分、アナログ方式の電子写真プロセスを用いた複写機に較べて複雑でコスト高である。さらに、表示部と読取部とが一体化され、一度に表示できる転写画像は表示画面１枚分に限られるので、用紙に複写した場合に較べて、手軽に持ち運んだり、複数枚複写画像を並べて閲覧したりできない分不便である。
【０００９】
本発明は、上記事情に鑑み、用紙に複写した場合と同様の複写物が得られる上、書き換えれば何度でも再利用できる表示記録媒体を用いて画像を転写する画像転写方法、画像転写装置、および電源があれば原稿を簡易に複写できる表示記録媒体を提供することを目的とする。
【００１０】
【課題を解決するための手段】
上記の目的を達成する本発明の画像転写方法は、画像を表わす光の照射と電圧の印加とにより該画像が記録される表示記録媒体と、画像が記録された原稿との間に、透光性を有する面状の発光体を配置し、該発光体を発光させるとともに該表示記録媒体に電圧を印加することにより、該表示記録媒体に該原稿で反射した反射光の光量分布に基づく画像を記録することを特徴とする。
【００１１】
このように、表示記録媒体と原稿との間に、透光性を有する面状の発光体を配置して表示記録媒体に電圧の印加と原稿の反射光を照射することにより原稿の光反射画像を記録することができるので、電子写真方式の複写機のように、着色紛体や光学部品等を用いずに簡易に画像を記録することができる。
【００１２】
上記の目的を達成する本発明の画像転写装置は、画像を表わす光の照射と電圧の印加とによって該画像が記録される表示記録媒体と、画像が記録された原稿との間に配置され、該表示記録媒体を直接照射するとともに該原稿で反射した、該原稿に記録された画像を担持した反射光を該表示記録媒体に導く発光体と、上記表示記録媒体および上記発光体それぞれに所定の電圧を印加することにより、上記発光体による上記表示記録媒体への光の照射と共同して、該表示記録媒体に上記原稿で反射した反射光の光量分布に基づく画像を記録する電圧印加手段とを備えたことを特徴とする。
【００１３】
このように、発光体と電圧印加手段とを備える画像転写装置に表示記録媒体を容易に着脱して任意の画像を順次記録することができるので、複数頁の複写物を作成する等して、文書情報の記録性、記録された情報の操作性、閲覧性を高めることができる。また、記録された画像を消去して、新たな画像を繰り返し記録することもできる。
【００１４】
上記の目的を達成する本発明の表示記録媒体は、一対の電極間に、メモリ機能を有する表示層と、光の照射により電気抵抗が変化する光導電層と、面状の発光層とを積層してなるものであることを特徴とする。
【００１５】
このように、表示記録媒体に発光層が組み込まれているので、電源があれば原稿の反射画像を複写することが可能になり、画像の複写操作が極めて簡単になる。
【００１６】
【発明の実施の形態】
以下に、本発明の実施形態について説明する。
【００１７】
図１は、本発明の画像転写方法の実施形態を示す概略図である。
【００１８】
図１に示す本実施形態の画像転写方法は、画像を表わす光の照射と電圧の印加とによって画像が可視的かつ消去自在に記録される光書き込み型の表示記録媒体５と画像が記録された原稿１２との間に、透光性を有する面状の発光体９を配置し、面状の発光体９を発光させるとともに、表示記録媒体５に電圧印加部６から所定の電圧を印加して、表示記録媒体５に原稿１２で反射した反射光の光量分布に基づく画像を記録する方法である。
【００１９】
ここで、本実施形態に用いる光書き込み型の表示記録媒体５は、透光性部材からなる１対の電極３の間に、メモリ機能を有する、例えば液晶からなる表示層１と、表示層１側から入射した光を吸収し入射した光が光導電層２に達しないように遮光する光吸収層１０と、光が照射されると照射光量に応じて抵抗値が変化する光導電層２とが積層された構成となっている。ただし、表示記録媒体５は、必ずしもこの構成に限定されるものではなく、光の照射と電圧の印加とにより画像が可視的かつ消去可能に記録できるものであればよい。
【００２０】
また、原稿１２は、例えばコピー用紙のような光反射性記録媒体に、例えばトナーのような光吸収性色材を用いて文字や図形などの画像をプリントしたものであっても、逆に光吸収性記録媒体に光反射性色材を用いてプリントしたものであっても、反射光の光量分布を生じる画像が記録されたものであればよく、用紙両面に画像がプリントされたものであっても構わない。
【００２１】
電圧印加部６は、電圧調整手段７を備えており、電圧調整手段７は表示記録媒体５の光導電層２に面状の発光体９から直接照射された光と光反射画像が記録された原稿１２面で反射した反射光とが照射されたときに、表示層１に原稿１２面で反射した反射光の光量分布に基く画像が記録されるように、表示記録媒体５に印加する電圧を調整することができる。この場合は、印加された電圧条件において、表示記録媒体に用いる光導電層が一定量以下の露光領域でほぼ光導電性を発現しないような不感体領域を有するように光感度特性を設計し、発光体から直接光導電層に入射する光量が不感帯内の露光量であり、かつ原稿反射光が上乗せされたときに光導電性を発現する露光領域に達するように発光光量を調整することで画像の転写を行う。
【００２２】
なお、表示記録媒体５に印加する電圧を調整する代わりに、透光性を有する面状の発光体９の発光光量を調整することにより表示層１に原稿１２面で反射した反射光の光量分布に基く画像を記録することもできる。
【００２３】
本実施形態の画像転写方法を用いて、表示記録媒体５に原稿１２に記録された画像を記録する場合は、表示記録媒体５の光導電層２が積層された側の面と、光反射画像が記録された原稿１２のその光反射画像が記録された面との間に、透光性を有する面状の発光体９を密着させて配置する。
次に、その面状の発光体９を発光させて原稿に光を照射するとともに、電圧印加部６から表示記録媒体５の一対の電極３に電圧調整手段７により調整された所定の電圧を印加する。
【００２４】
すると、表示記録媒体５の光導電層２には、透光性を有する面状の発光体９から直接照射された光のほかに、光反射画像が記録された原稿１２面で反射した反射光も照射されるので、光導電層２の抵抗値は、両者を併せた光量分布に応じて変化し、表示記録媒体５の表示層１には、光反射画像記録面の反射光の光量分布に基づく画像が記録される。
【００２５】
記録された画像は、電圧印加部６から表示記録媒体５に印加された電圧を取り外したり、面状の発光体９の発光を停止させた状態においても、目視できる状態で保持される。
【００２６】
表示記録媒体５に記録された画像を消去して初期化するときは、表示記録媒体５の一対の電極間に所定の初期化電圧を印加すればよい。初期化された表示記録媒体５には、同様の方法により新たな画像を記録することができるので、表示記録媒体の再利用が何度でも可能である。
【００２７】
図２は、表示記録媒体の光導電層に照射される光量と、表示記録媒体の電極間に印加する電圧との関係を示す模式図である。
【００２８】
図２において縦軸は、表示記録媒体に記録された画像の反射率をあらわし、横軸は、表示記録媒体に印加する電圧をあらわしている。
【００２９】
図中の実線は、表示記録媒体の光導電層に照射される光量がＥ１およびＥ２（Ｅ２＞Ｅ１）である場合に、一対の電極間に印加する電圧を変化させたときに表示層に記録される画像の反射率の推移を示す曲線である。
【００３０】
表示層に記録される画像の反射率は、電圧が低いときは高い状態のまま推移するが、一定の電圧を越えると反射率が急激に低下しフォーカルコニック状態２４となる。電圧をさらに高くしてもフォーカルコニック状態２４が維持されるが、しきい値電圧Ｖｆｐを越えると、反射率が急激に高くなり、プレーナ状態２３になる。
【００３１】
しきい値電圧Ｖｆｐは、光導電層２に照射される光量によって変化し、光量がＥ１のときは、しきい値電圧がＶｆｐ１と高いが、光量が増加してＥ２になると、しきい値電圧がＶｆＰ２と低くなる。
【００３２】
したがって、面状の発光体９から表示記録媒体５の光導電層２に直接照射される光量をＥ１とし、Ｅ１に、原稿の光反射画像で反射した反射光が光導電層２に照射される光量を加えた合計光量がＥ２である場合には、表示記録媒体５の一対の電極間３に印加される電圧をＶｆｐ２〜Ｖｆｐ１の範囲に調整しておけば、表示記録媒体５の表示層１に、原稿の光反射画像で反射した反射光の光量分布に基く、コントラストの高い、鮮明な画像を記録することができる。
【００３３】
また、記録された画像を消去して初期化する場合には、表示記録媒体５にフォーカルコニック状態２４となる電圧を印加すればよい。
【００３４】
なお、面状の発光体９から表示記録媒体５の光導電層２に直接照射される光量は、表示記録媒体５の光導電層２の感度に応じて調整する必要がある。光量が強すぎたり、弱すぎたりすると、原稿の反射光の光量が照射されても表示層１全体の光学特性が変わらないので、原稿の光反射画像が転写されない場合がある。
【００３５】
このように、表示記録媒体５と原稿１２との間に、面状の発光体９を配置し、表示記録媒体５に電圧印加部６から所定の電圧を印加するとともに、面状の発光体９を発光させることにより、表示記録媒体５に原稿の光反射画像を記録することができるので、電子写真方式の複写機のように、着色紛体等の着色材料や結像光学系等の光学部品を用いることなく、画像を簡易に記録することができる。
【００３６】
次に、本発明の画像転写装置の実施形態について説明する。
【００３７】
図３は、本発明の画像転写装置の第１の実施形態を示す図である。
【００３８】
図３に示す本実施形態の画像転写装置は、透光性を有する面状の発光体９と、表示記録媒体５の一対の電極３に所定のパルス電圧を印加するパルス電源部１５、及びそのパルス電源部１５から印加されるパルス電圧を調整する電圧調整手段１６を有する電源部１４と、電源部１４と表示記録媒体５とを接続するコネクタ２０と、透光性を有する面状の発光体９に所定の電圧を印加してその面状の発光体９を発光させる発光駆動部１７とを備えている。また、電源部１４は、表示記録媒体５の一対の電極３に電圧を印加するスタートボタン２２を有し、スタートボタン２２が手操作で押されると、パルス電源部１５は、例えば１０Ｈｚの矩形波パルス電圧を給電し、電圧調整手段１６は、パルス電源部１５から給電されるパルス電圧の周期やタイミングを調整する。
【００３９】
パルス電源部１５は、ＡＣ電源を変圧したり、波形整形を行うことによりパルス電圧を生成してもよいし、電池などのＤＣ電源を機械的もしくは電気的にＯＮ、ＯＦＦしてパルス電圧を生成するものでも、ＤＣ電源からインバータ回路を介して必要なＡＣパルス電圧を生成するものでもよい。ただし、メモリ機能を有する表示層１に電界応答性の液晶材料を用いる場合には、液晶材料の劣化、特性変化を避けるためにＡＣパルス電圧を生成することが好ましいが、これに限定されない。また、電圧調整手段１６は、パルス電源部１５からのパルス電圧の印加と発光体９からの光の照射タイミングとを同期させるために、例えば光センサで検出した電気的なトリガー信号に基いて、表示記録媒体５に電圧を印加することにしてもよい。
【００４０】
透光性を有する面状の発光体９としては、シート状の発光体を透光性を有する基板や保護層で挟み込んだものや、セグメント化された複数の発光体を挟み込んだものを利用することができる。発光体としては、エレクトロルミネッセンス現象を発現する、有機、もしくは無機材料からなる発光層を透明電極で挟んだ構造の発光素子の他、プラズマ発光、蛍光発光を利用した素子のほか、ＬＥＤ素子、レーザー素子などを用いることができる。
【００４１】
本実施形態に用いる表示記録媒体５は、一対の電極３の間にメモリ機能を有する表示層１、照射された光を吸収して遮光する光吸収層１０、及び光が照射されると抵抗値が変化する光導電層２が積層されており、一対の電極３に所定の電圧を印加するとともに、光導電層２に、例えば画像が記録された原稿で反射した反射光を照射すると、その光量分布に基く画像が表示層１に記録され、その記録された画像は、電圧印加および光照射を停止しても保持される表示記録媒体で、詳細は後述する。
【００４２】
ただし、必ずしも表示層１、光吸収層１０、及び光導電層２が積層された構造のものに限定されるものではなく、画像を表わす光の照射と電圧の印加とによって画像が可視的かつ消去自在に記録されるものであればよい。
【００４３】
また、表示記録媒体５に転写することができる原稿１２は、印刷物、プリンタによるプリント、手書き文書など紙媒体上に記録されたハードコピー原稿、ＯＨＰなどに記録された光透過性原稿を光反射物に重ねたもの、透過型液晶パネルの背面部や電極部に反射性の材料や構造を有し、入射光を反射することで表示を行う反射型液晶表示素子、あるいは画素化された微小ミラー面の角度を電気的に可変して入射光の反射方向を制御することにより表示や光変調を行うＤｉｇｉｔａｌ　Ｍｉｃｒｏｍｉｒｒｏｒ　Ｄｅｖｉｃｅ（米国Ｔ１社の商標）などが含まれ、原稿の画像が形成された面に光が照射されたときに、その画像の反射率分布に基づく反射光量分布が得られるものであればよい。
【００４４】
電源部１４と表示記録媒体５との接続は、表示記録媒体５に画像を記録したり、書き換えるときに必要となるものであり、コネクタ２０は、画像が記録された後に表示記録媒体５を電源部１４から容易に切り離し、また、画像の書き換えが必要なときは表示記録媒体５を電源部１４に簡単に接続できるような構造であることが好ましい。
【００４５】
本実施形態の表示記録媒体５には、一対の電極３それぞれに導通した電極引きだし部（銅テープ）１８が２箇所設けられ、電源部１４には、クリップ状の電極端子部１９が２箇所設けられ、電極引きだし部１８と電極端子部１９とによってコネクタ２０が形成される。そして、電源部１４のクリップ状の電極端子部１９に表示記録媒体５の電極引きだし部１８を挿入して挟むと、電極端子部１９と電極引きだし部１８とが一定の押圧力で接触し、引き抜くと外れるように構成されている。ただし、この構造に限定されるものではなく、表示記録媒体５と電源部１４とを接続することができる構造であればよい。
【００４６】
本実施形態の画像転写装置を用いて、表示記録媒体５に原稿１２に記録された画像を記録する場合は、表示記録媒体５の光導電層２が積層された側の面と、光反射画像が記録された原稿１２のその光反射画像が記録された面との間に、透光性を有する面状の発光体９を密着させて配置する。
【００４７】
そして、表示記録媒体５の電極引きだし部１８と電源部１４のクリップ状の電極端子部１９とをコネクタ２０で接続する。
次に、発光駆動部１７を駆動して、面状の発光体９を発光させ、原稿１２に光を照射する。発光体９から出射された光は、表示記録媒体５の光導電層２に直接照射される一方、原稿にも照射されるので、原稿で反射した反射光が透光性を有する発光体９を透過して光導電層２に入射する。特に白地の一般コピー用紙などに光を吸収するインクやトナーでプリントした原稿の上に、発光体９を重ねて密着させた場合は、原稿の下地が良好な光反射板として作用する一方、例えば黒インクが載った文字部分ではほとんど光が反射しない。したがって、表示記録媒体５の光導電層２に入射する光量には、原稿の画像部分と非画像部分の反射光の光量差を反映した光量分布が生じ、それが光導電層２の抵抗値分布となって現れる。このとき、一対の電極間３に閾値電圧が印加されていれば、表示層１に電界の強度分布が形成され、表示層１の光学特性変化に基く画像が記録される。なお、画像が記録された後には発光体９を消灯させる。
【００４８】
ここで、使用される発光体９の厚さが薄ければ薄いほど、表示記録媒体５には、原稿画像の解像度通りの、原稿に忠実な画像が記録される。具体的には、発光体９の厚さが支持基板などを含んで１００μｍ以下であることが望ましく、５０μｍ以下であればより好ましい。また、発光体９から出射される光が、原稿面側に指向性を有する場合には、表示記録媒５の光導電層２に直接入射する光量が著しく低下し、原稿面で反射した光のみが照射されることになるため、原稿の反射光量分布に基づく明暗コントラスト比が大きくなり、表示記録媒５の表示層１に画像を形成する上では好ましい。指向性を有する発光体としては、面状のレーザー発光素子などをアレイ化した発光体などが利用できる。また、出射光方向が等方的な発光源を用いる場合であっても、複数の発光中心が全体に分散配置されている場合には、発光中心の表示記録媒体５側に反射部材や遮光部材を設け、表示記録媒体５に直接照射される光を遮光することにより、見掛け上原稿方向に指向性を有する発光源とすることができる。
【００４９】
次に、電源部１４に設けられたスタートボタン２２を手操作で押すと、電圧調整手段１６は、パルス電源部１５から給電される、例えば１０Ｈｚの矩形波パルス電圧を閾値電圧に調整した上、１００ｍｓを１周期として、１周期ないしは２周期分、表示記録媒体５の一対の電極３に印加する。
【００５０】
すると、表示記録媒体５には発光体９に照射された原稿１２の光反射画像が記録される。なお、表示記録媒体５に記録された画像を消去する場合には、発光体９を発光させずに閾値電圧より低い電圧を印加すれば、表示層がフォーカルコニック状態となり消去される。
【００５１】
ここで、例えばスタートボタン２２を押す回数などにより発光駆動部１７による発光体９の発光あるいは消灯、および電圧調整手段１６によるパルス電圧の印加をタイミングを図りながら実行することができる。また、表示記録媒体５に画像を記録する一連のタイミング制御を、電圧調整手段１６に持たせ、発光体９から表示記録媒体５に光が照射されるタイミングで、表示記録媒体５に必要なパルス電圧が印加されるようにパルス電源部１５を制御したり、表示記録媒体５に原稿を重ねない状態で発光体９を密着、発光させて、発光体９から直接照射された光量だけでは表示記録媒体５に画像が記録されないように、パルス電源部１５から表示記録媒体５に印加されるパルス電圧をしきい値範囲内に事前に調整することもできる。
【００５２】
このように、画像が転写される表示記録媒体５は、軽くて、薄くて、メモリ機能を持ち、本実施形態の画像転写装置に容易に着脱できるので、画像を記録した後に画像転写装置から取り外し、ハードコピー状の複写物となり、また複数の表示記録媒体５に次々に画像を記録すれば、複数の複写物を携帯したり、閲覧したり、机に並べたり、重ねたりすることもできる。また、記録された画像を消去して、新たな画像を繰り返し記録することもできる。
【００５３】
また、本発明の画像転写装置は、薄型化、軽量化及び小型化が容易に行えることから、装置全体を手で持ち運べる携帯性を有し、また低コスト化も可能である。
【００５４】
図４は、本実施形態の発光体４の断面構造の一例を示す図である。
【００５５】
図４において、発光体４は、中心に、光を発光する、例えば硫化亜鉛からなるＥＬ発光層２５と、ＥＬ発光層２５の両面を挟み絶縁破壊から保護する、例えば酸化アルミニウムと酸化チタニウムの多層膜からなる透明な絶縁層２１と、絶縁層２６全面に蒸着されＥＬ発光層２５に電界を印加する一対のＩＴＯ電極２７と、ＩＴＯ電極２７の外側から接着剤で貼り合わされ、発光体４全体を保護するＰＥＴフィルムからなる保護基板２８とにより形成されている。そして、一対のＩＴＯ電極２７には、発光駆動部１７が接続され、発光駆動部１７から、例えば４００Ｈｚ、３００Ｖの電圧が印加されると、１平方センチメートルあたり１００ｃｄの輝度で発光する。
【００５６】
ただし、発光体４は、これに限定されない。
【００５７】
図５は、本実施形態で用いる表示記録媒体の一例を示す図である。
【００５８】
図５に示す表示記録媒体５は、一対の透明な電極３の間に、メモリ機能を有する表示層１と、光が照射されると抵抗値が変化する光導電層２と、照射された光を吸収することにより表示層１側から光導電層２への光の侵入を防ぐ光吸収層１０とが積層され、光導電層２は、機能分離された電荷発生層２ａと電荷輸送層２ｂとが多層に積層されている。
【００５９】
この表示記録媒体５は、光導電層２に光が照射されると抵抗値が変化し、一対の電極３に印加された電圧の、表示層１における分圧が変化することにより、表示層１を構成する分子の光学特性が変化することを利用したものであり、電極３に電圧が印加されないときは表示層１に何らの影響も与えないため、光学特性の変化により記録された画像が外光の影響で変化しにくいという利点がある。
【００６０】
光導電層２に用いる部材としては、無機系、有機系のいずれの材料も使用できるが、表示記録媒体５にフレキシブルな基板を用いる場合は、その基板との適性が良く、高温の熱処理や、時間のかかる製造プロセスを必要としない、有機系の材料がより好ましい。また、有機系の材料には、電荷発生と電荷輸送を同時に行う材料もあるが、本実施形態に用いる表示記録媒体５の光導電層２では、電荷発生層２ａ、電荷輸送層２ｂ及び電荷発生層２ａが積層されているので、良好な感度特性を有するとともに、交流電圧の印加を可能とし、表示層１に汎用液晶素材を使用することができる。
【００６１】
メモリ機能を有する表示層１としては、電界応答性の表示材料、あるいは電流の通電によって表示可能なもの（電流応答性の表示材料）等が好適である。そのような電界応答性の表示材料としては、カイラルスメクチックＣ相等の強誘電液晶、コレステリック、スメクチック、ディスコテック液晶素材などが挙げられる。また、液晶素材としては、液晶化合物が高分子材料中に分散されたものや、液晶素材中に高分子材料を若干混合したもの、あるいは液晶化合物自体が高分子化合物であるもの等が挙げられる。
【００６２】
ただし、メモリ機能を有し、電圧印加終了後もバッテリーを要することなく、表示内容を安定に維持することができ、また、書込装置から切り離してシート状の表示記録媒体として利用できる点で、スメクチック液晶、カイラルスメクチックＣ相等の強誘電液晶、若しくはコレステリック液晶等を主とした表示材料が好ましい。さらに、偏光板やカラーフィルタを必要とせずに、選択反射波長特性を利用したカラー表示が高反射率、高コントラスト、高精細に行い得るとの観点から、コレステリック液晶を主体とする表示材料が特に好ましい。このような材料としては、ステロイド系コレステロール誘導体、あるいはシッフ塩基系、アゾ系、アゾキシ系、エタン系、ビフェニル系、ターフェニル系、シクロへキシルカルボン酸エステル系、フェニルシクロヘキサン系、安息香酸エステル系、ピリミジン系、ジオキサン系、トラン系、シクロヘキシルシクロへキサンエステル系、アルケニル系などの正の誘電率異方性を有するネマチック液晶、またはこれらの混合液晶に、カイラル剤として添加した材料を用いることができる。
【００６３】
本実施形態に用いる表示記録媒体５の表示層１は、電界応答性の表示材料全体をマイクロカプセル１ａ内に封入し、そのマイクロカプセル１ａをバインダーに分散させた構成としている。したがって、耐機械特性に優れており、シート状の表示記録媒体５を形成する上で好適である。また、マイクロカプセル１ａ内にはカイラルネマチック液晶１ｂを含んで構成されているので、高い反射コントラストを有し、無電源状態でも記録された画像を安定的に保持することができる。さらに、印加する電圧を調整することにより任意の表示色でメモリすることもできる。
【００６４】
表示記録媒体の支持体となる光透過性の基板としては、ガラス又はプラスチック等を材料とした基板が挙げられるが、紙に近いフレキシブル性や、ラフな取り扱いにも耐えられる機械強度に優れる点で、プラスチック材料を用いた基板が好ましい。
【００６５】
プラスチック材料を用いた基板としては、例えば、ポリエチレンテレフタレート等のポリエステル系フイルム、ポリスルホン、ポリエーテルスルホン、ポリカーボネート、ポリイミド等が挙げられる。なお、基板の厚みとしては、自己支持性やフレキシブル性、軽量性、重ねた時の厚み等の点で、５０〜５００μｍが好ましい。
【００６６】
電極３としては、透光性を有し、入射光が吸収されたり、散乱されにくく、かつ所定の電圧が印加し得るものであればよく、それ自体が導電性の基板であるもののほか、透光性の基体の片面に透光性の導電性層が形成されたものが挙げられる。導電性層としては、入射光が散乱を受け難い、透明性部材で、導電性があり電極として機能しうるものであれば特に制限はなく、例えば、ＩＴＯ（インジュウム−スズ酸化物）、二酸化スズ等の金属酸化物等や、導電性セラミックス材料等を用いることもできる。
【００６７】
次に、本発明の画像転写装置の第２の実施形態について説明する。
【００６８】
第２の実施形態は、第１の実施形態と較べて、面状の発光体が反射部材などを備えているので、発光体が指向性を有する点が相違する。しかしそれ以外は共通するので相違点について説明する。
【００６９】
図６は、本発明の画像転写装置の第２の実施形態を示す図である。
【００７０】
第２の実施形態の画像転写装置は、第１の実施形態で説明した画像転写装置と較べて、発光体が相違するが、それ以外の点は同じである。したがって、同一構成要素には同一の符号を付し、相違点について説明する。
【００７１】
なお、簡略化のため、図３に示すコネクタ２０は省略してある。
【００７２】
図６において、画像転写装置は、表示記録媒体５に電圧を印加する電源部１４と、面状の発光体４と、面状の発光体４を発光駆動する発光駆動部１７とを備えており、面状の発光体４は、図示しないコネクタを用いて電源部１４に接続された表示記録媒体５と表示記録媒体５に転写しようとする画像がプリントされた原稿１２との間に配置されている。
【００７３】
面状の発光体４は、光を発光する発光中心が島状に分散されており、発光体４の表示記録媒体５側の面には、島状の発光中心から出射される光を反射する反射部材１３が形成され、発光中心から出射される光が直接表示記録媒体５に入射しないようになっている。発光体４から原稿１２に照射された光は、光反射画像が記録された面で反射し、その反射光が発光体４を透過して表示記録媒体５の光導電層２を照射し、表示層１には、原稿１２で反射した反射光の光量分布に基づく画像が記録される。なお、表示記録媒体５に画像を記録する場合の悪影響を防ぐためには、島状の発光中心の近くに反射部材１３を形成するとともに、反射部材１３の大きさは、発光中心の出射光を反射する必要最小限にする必要がある。
このように、本実施形態の発光体４は、出射される光が、原稿面側に指向性を有しているので、表示記録媒５の光導電層２に直接入射する光量が著しく低下し、原稿面で反射した光が照射されることになるため、原稿の反射光量分布に基づく明暗コントラスト比が大きくなり、鮮明な画像を記録することができる。
【００７４】
次に、本発明の表示記録媒体の実施形態について説明する。
【００７５】
図７は、本発明の表示記録媒体の実施形態を示す図である。
【００７６】
本実施形態の表示記録媒体は、図５に一例を示した表示記録媒体に較べて、一対の電極間に図４に示した面状の発光体が積層されるとともに、その一対の電極の一方の電極が、発光体の電極の一方を兼ねている点が相違するが、それ以外は共通するので、同一の構成要素には同一の符号を付し、説明は省略する。
【００７７】
図７において、表示記録媒体３５は、一対の透明な電極３の間に、メモリ機能を有する表示層１と、光が照射されると抵抗値が変化する光導電層２と、照射された光を吸収することにより表示層１側から光導電層２への光の侵入を防ぐ光吸収層１０とが積層され、さらに、光導電層２と透明な電極３の一方との間に、絶縁材を介したＥＬ発光層２５と、ＩＴＯ電極２７とが積層されている。
【００７８】
ここで、本実施形態の表示記録媒体のＥＬ発光層２５は、ＩＴＯ電極２７から駆動用の電圧が供給されるように構成されているが、表示記録媒体へ電圧を印加する電極３を共用することもできる。
【００７９】
この表示記録媒体３５に原稿１２の光反射画像を記録する場合には、表示記録媒体３５の発光層２５が積層された面側に、原稿１２の光反射画像が記録された面を接近させて配置する。そして、第１の電圧印加手段３１、第２の電圧印加手段３２、および第１の電圧印加手段３１、第２の電圧印加手段３２から印加される電圧の大きさやタイミングを調整する電圧調整手段３３とを備えた電源部３０に、表示記録媒体３５の一対の電極３とＩＴＯ電極２７とをそれぞれ接続して、発光層２５を発光させるとともに、表示層１に所定の閾値電圧を印加する。
【００８０】
このように、発光層２５を表示記録媒体３５に組み込むことにより、シート状の表示記録媒体３５と電源部３０のみで、原稿１２の反射画像を複写することが可能になり、画像の複写操作が極めて簡単になる。さらに、この表示記録媒体３５は発光層２５を発光させない場合は、フラットパネルディスプレイやプロジェクタなどの発光パターンなどについても複写することができる。
【００８１】
【発明の効果】
本発明の画像転写方法によれば、着色紛体等の着色材料や結像光学系等の光学部品を用いずに、原稿の画像をシート状の表示記録媒体に簡易に記録することができる。また、本発明の画像転写装置によれば、表示記録媒体を容易に着脱して、複数の表示記録媒体に任意の画像を記録できるので、複数頁の複写物を作成することなどにより、文書情報の記録性、記録された情報の操作性、閲覧性を高めることができる。さらに、本発明の表示記録媒体によれば、発光層が組み込まれているので、原稿画像の複写操作が極めて簡単になる。
【００８２】
【実施例】
以下に、本発明の画像転写方法および画像転写装置に用いられる表示記録媒体の実施例および面状発光体の実施例について説明する。
（実施例１）
本実施例の表示記録媒体の構成は、図４で説明したものと同じであり、ＩＴＯ（酸化インジウム錫）電極膜が内側にそれぞれ設けられた２枚のＰＥＴフィルム基板（商品名：ハイビーム、東レ（株）製）間に、光導電層及び光吸収層、マイクロカプセルに内包されたカイラルネマチック液晶素材を含有する表示層が積層されている。
【００８３】
この表示層は、正の誘電率異方性を有するネマチック液晶Ｅ８（メルク社製）７４．８部に、カイラル剤ＣＢ１５（ＢＤＨ社製）２１部、およびカイラル剤Ｒ１０１１（メルク社製）４．２部を加熱溶解後室温に戻して、ブルーグリーンの色光を選択反射するカイラルネマチック液晶を得た。このブルーグリーンカイラルネマチック液晶１０部にキシレンジイソシアネート３モルとトリメチロールプロパン１モルとの付加物（武田薬品工業製Ｄ−１１０Ｎ）３部と酢酸エチル１００部を加えて均一溶液とし、油相となる液を調整した。
【００８４】
一方、ポリビニルアルコール（クラレ社製ポバール２１７ＥＥ）１０部を、熱したイオン交換水１０００部に加えて撹拌後、放置冷却することによって、水相となる液を調整した。
【００８５】
次に、スライダックで３０Ｖ交流を与えた家庭用ミキサーによって上述した油相を放置冷却によって調整した水相中に１分間乳化分散して、水相中に油相液滴が分散した水中油エマルジョンを調整した。にの水中油エマルジョンを６０℃のウォーターバスで加熱しながら２時間撹拌し、界面重合を完了させて、液晶マイクロカプセルを形成した。これら液晶マイクロカプセルの平均粒径は、レーザー粒度分布計によって約１２μｍと見積もられた。
【００８６】
マイクロカプセル分散液を網目３８μｍのステンレスメッシュを通して濾過後一昼夜放置し、乳白色の上澄みを取り除くことによりマイクロカプセルからなる固形成分約３９０質量％のスラリーを得た。
【００８７】
スラリーに対しマイクロカプセルからなる固形成分の重量に対して２／３となる量のポリビニルアルコールを含むポリビニルアルコール１０重量％の溶液を加えることにより塗布液を調整した。
【００８８】
１２５μｍ厚１ＴＯ付きＰＥＴフィルム（東レハイビーム）のＩＴＯ面上に、上記塗布液を＃４４のワイヤーバーで塗布することにより、表示層を作製した。
【００８９】
次に、もう一方のＩＴＯ電極付基板の電極上に、有機材料からなる光導電層を形成した。光導電層は電荷輸送層の上下に電荷発生層を積層した構成である。
【００９０】
その作製方法を以下に示す。まずＩＴＯ電極上に光導電層の第１の電荷発生層として、ヒドロキシガリウムフタロシアニンとバインダー樹脂であるポリビニルブチラールを１：１に混合したプロパノール分散液をスピンコート法により基板に塗布後、乾燥させ、０．２ｕｍの厚さに形成した。次に前記電荷発生層の上の電荷輸送層として、まず、電荷輸送材Ｎ、Ｎ−Ｂｉｓ（３、４−ｄｉｍｅｔｈｙｌｐｈｅｎｙｌ）ｂｉｒｈｅｎｙｌ−４−ａｍｉｎｅ、とバインダー樹脂Ｐｏｌｙ　Ｃａｒｂｏｎａｔｅ　ｂｉｓｐｈｅｎｏ１−Ｚ、（ポリ（４、４’ロシクロヘキシリデンジフェニレンカーボネート））をそれぞれ４０重量％、６０重量％の割合で混合した後、これをモノクロロベンゼンに溶解させ１０％の溶液を作製し、この溶液をディップコートにより、１２０ｍｍ／分の速度で引き上げ、電荷発生層上に３μｍ厚の電荷輸送層を作製した。更に、第２の電荷発生層として前記第一の電荷発生層とどうような材料、手順で０．２ｕｍ厚に形成した。さらに、その上に光吸収層としてスピンコート法により、ＰＶＡ（ポリビニルアルコール）層を０．２μｍ厚に作製した。さらに、その上に遮光層としてスピンコート法により、黒色樹脂ＢＫＲ−１０５（日本化薬製）を塗布した。
【００９１】
上述したマイクロカプセルカイラルネマチック液晶からなる表示層上に、光導電層を作製したＰＥＴフィルムのＰＶＡ面上に完全水性型ドライラミネート接着剤であるディックドライＷＳ−３２１Ａ／ＬＤ−５５（大日本インキ化学工業）を塗布乾燥させて４μｍ厚の接着層を形成した後に密着させ７０℃においてラミネートを行った。
【００９２】
以上の方法によって作成した表示記録媒体を用いて、図１で説明した画像転写方法、あるいは図３で説明した画像転写装置を用いて、原稿に記録された画像の転写を行なった。
【００９３】
まず表示記録媒体の光導電層側に、面状の発光体を介在させて原稿の光反射画像面を密着させる。次に発光体の電極に発光駆動部から電圧を供給し、発光体を発光させながら、表示記録媒体にパルス電圧を印加した後、電圧印加を解除したところ、表示層には、原稿の光反射画像で反射した反射光のパターンに基く、緑色の選択波長を反射するプレーナ状態、又は光が透過する背景色（ここでは、光吸収層の黒色）を示すフォーカルコニック状態よりなるコントラストの高い画像が形成され、原稿画像と同一の画像を転写することができた。
【００９４】
また、表示記録媒体の表示層には、マイクロカプセルにカイラルネマチック液晶が内包されていることから、取り扱い時においても高い画像保存性、耐機械特性を示した。さらに、表示記録媒体を電源部から取り外した後においても記録された画像が安定した、紙と同様の取り扱いが可能なシート状の複写物を得ることができた。また画像が記録された表示記録媒体を、再度電源部に挿着し、同様の転写操作を繰り返すことにより、何度でも所望の画像に容易に書き換えることができた。
（実施例２）
本実施例の面状の発光体の構成は、図６で説明したものと同じであるが、反射部材が形成されている点を除外すれば、細部は図４で説明したものと同様に、中心に硫化亜鉛からなるＥＬ発光層を有し、その両面に酸化アルミニウムと酸化チタニウムの多層膜からなる透明な絶縁層が配されている。そして、表示記録媒体に接する側の電極が全面均一な透明電極ではなく、アルミの細線をマトリクス状に張りめぐらせたアルミ電極からなっている。ＥＬ発光層から出射される光中心は、アルミ電極のアルミ細線の直下の領域にあるので、表示記録媒体側への出射光は、アルミ電極で反射されるため光導電層に直接入射することはない。このため、表示記録媒体の光導電層には光反射画像が記録された原稿面で反射した反射光が入射し、その状態で表示記録媒体の一対の電極に電圧を印加し、電圧印加を解除したところ、表示記録媒体の表示層には、緑色の選択波長反射を示すプレーナ状態、又は光透過による背景色（ここでは、光吸収層の黒色）を示すフォーカルコニック状態よりなるコントラストの高い画像が形成され、原稿と同一の画像を転写することができた。
【図面の簡単な説明】
【図１】本発明の画像転写方法の実施形態を示す概略図である。
【図２】表示記録媒体の光導電層に照射される光量と、表示記録媒体の電極間に印加する電圧との関係を示す模式図である。
【図３】本発明の画像転写装置の第１の実施形態を示す図である。
【図４】本実施形態の発光体４の断面構造の一例を示す図である。
【図５】本実施形態で用いる表示記録媒体の一例を示す図である。
【図６】本発明の画像転写装置の第１の実施形態を示す図である。
【図７】本発明の表示記録媒体の実施形態を示す図である。
【符号の説明】
１　　表示層
１ａ　　マイクロカプセル
１ｂ　　カイラルネマチック液晶
２　　光導電層
２ａ　　電荷発生層
２ｂ　　電荷輸送層
３　　電極
４，９　　発光体
５，３５　　表示記録媒体
６　　電圧印加部
７，１６，３３　　電圧調整手段
１０　　光吸収層
１２　　原稿
１３　　反射部材
１４，３０　　電源部
１５　　パルス電源部
１７　　発光駆動部
１８　　電極引きだし部
１９　　電極端子部
２０　　コネクタ
２２　　スタートボタン
２３　　プレーナ状態
２４　　フォーカルコニック状態
２５　　ＥＬ発光層
２６　　絶縁層
２７　　１ＴＯ電極
２８　　保護基板
３１　　第１の電圧印加手段
３２　　第２の電圧印加手段
【図１】
2004045509.tif 000003
【図２】
2004045509.tif 000004
【図３】
2004045509.tif 000005
【図４】
2004045509.tif 000006
【図５】
2004045509.tif 000007
【図６】
2004045509.tif 000008
【図７】
2004045509.tif 000009